(57)【要約】【課題】靴等の包装形態に関し、包装材料及び包装作業の手間も含めたコストの低減と、商品として陳列した際に見た目のよい包装形態を提供することにある。【解決手段】台紙１の上にセパレータ２を定置して台紙１の上面を２分割し、同台紙１上面の一方の範囲に靴ｂの片方を載置し、且つ他方の範囲に靴ｂのもう片方を載置し、その台紙１を熱収縮性のフィルム５内に収納し、同フィルム５を加熱して収縮させ、上記した台紙１及び靴ｂを包装フィルム５にて被覆して成り、包装材の低減と見た目の良さを具備する。【選択図】　図１
2004001842.tif 000002
【特許請求の範囲】
【請求項１】
平板状の台紙の上面に略帯状のセパレータを定置して台紙の上面を２分割し、同台紙上面の一方の範囲に靴の片方を載置すると共に、同台紙上面の他方の範囲に靴のもう片方を載置し、この台紙を熱収縮性の合成樹脂製フィルムにて被覆し、該フィルムの周囲の解放部位を熱線体にて加熱切断して袋状に密閉されるフィルム袋内に上記した如く靴を載せた台紙を収納し、その後同フィルム袋を加熱して収縮させ、上記した台紙及び収納物を収縮フィルムにて被包して成る靴の包装形態。
【請求項２】
台紙の一側辺と他側辺とに各々切り込みを入れて所定幅のセパレータを形成し、このセパレータを台紙の上面側に折り返して同台紙の上面に立ち上げると共に台紙の上面を二分し、各々を靴の載置部として構成した、請求項１記載の靴の包装形態。
【請求項３】
上記熱収縮性フィルムを透明若しくは半透明の合成樹脂を用いて構成して成る請求項１又は２記載の何れか一項靴の包装形態。
【発明の詳細な説明】
【０００１】
【発明の属する技術分野】
この発明は、運動靴や長靴等の包装形態に関する。
【０００２】
【従来の技術】
従来、運動靴や長靴等の靴を包装する際には、ボール紙等の堅紙を用いて構成した箱１００を用いている。このように箱１００を用いて靴を包装する場合、折り畳んである状態の箱１００を組み立てた後、その箱の中に靴１０１を互い違いに収納している（図１２）。上記した靴は靴同士の密着防止のため薄紙等により被覆してから箱内に収納し、その靴同士の間にやはりボール紙等を用いて形成した帯状のセパレータ１０２を両靴の間に差し込んでから箱の開口部を蓋１０３で閉じていた。
【０００３】
【発明が解決しようとする課題】
しかしながら、上記したような靴の包装形態は、箱にコストがかかると共に、その箱を組み立てる手間や、靴に薄紙等を被覆する作業等、作業面でも手間のかかることが多かった。
上記したように包装された靴はそのままでは収納した商品（靴）が見えないため、店頭に展示する際には展示品として箱内から靴を出して展示している。また、展示品を視た買い物客がその靴を視て気に入って購入する場合には、サイズの確認をしたり、色合い等の確認を行ったりするために、陳列した箱内から品物を取り出してこれらを確認し、さらに取り出した靴を箱の中に収納し直すなどの面倒があった。また、靴を箱内に収納すると、上記した商品の出し入れする際に埃や手垢、陳列棚との接触等により汚れてしまうので商品価値が下がってしまうこともある。
【０００４】
本発明は、上記した如き従来事情に鑑みなされたものであり、その課題は、靴等の包装形態に関し、包装作業の手間も含めた商品コストの低減と、販売店内にて陳列する際に、見栄えがよく、且つ商品となる靴に汚れの付きにくい包装形態を提供することにある。
【０００５】
【課題を解決するための手段】
上記した課題を解決するために、本発明の靴の包装Ａは、靴を定置する平板状の台紙を具備している。台紙は、ボール紙や段ボール等の比較的強度のある素材を用いて構成する。上記台紙の上面には、略帯状に形成したセパレータを定置し、これを折り曲げたり湾曲したりすることにより、同台紙の上面を２分割する。２分割した台紙上面は靴の載置面となり、一方の範囲には、靴の片方を載置すると共に同台紙の他方の範囲には、靴のもう一方を載置する。
【０００６】
上記したように、台紙の上にセパレータと一対の靴を載置したならば、この台紙を熱収縮性の合成樹脂から成るフィルムにて被包する。この状態から同フィルムの周囲に形成される解放部位を加熱した熱線体にて加熱切断する。これにより、フィルムの解放部を切断すると同時にその切断部位にて重なるフィルムの縁同士を溶着することで同フィルムを袋状に構成し、この中に台紙と靴を収納する。その後、袋状のフィルムにより被覆した台紙と靴を温風等にて加熱してフィルムを収縮せしめる。収縮したフィルムは、台紙と同台紙の上に定置したセパレータと１足の靴に適度に密着した状態で被包する。この状態において、セパレータと両靴とは収縮したフィルムが適度に密着することにより、同靴とセパレータを台紙上にて移動しないように保持する。
【０００７】
また、台紙上に定置したセパレータは、収縮したフィルムの収縮力を支承して、同じ台紙上に載置した両靴が不必要に変形することを防止する。尚、請求項２及び請求項３の説明は、発明の実施形態の欄にて合わせて説明する。
【０００８】
【発明の実施の形態】
以下、本発明の一実施例を図面に基づいて説明する。
図１乃至図８は、本発明を実施した靴の包装形態及び製造工程を図示している。
図２乃至図４は台紙１を示している。台紙１は段ボールやボール紙等を矩形に裁断して構成してある（図３）。また、台紙１は、外周の裁断と同時に、一辺部と他辺部とに各々切り込み２ｂを入れ、所定幅のセパレータ２を形成してある。尚、上記した両切り込み２ｂは、図３において上方のものが右側に折り辺２ａを残し、下方のものは左側に折り辺２ａを残してある。この折り辺２ａよりも外側の部位は、組み立ての際に台紙１上面から直角に立ち上がる立面部２ｃとして形成してある。
【０００９】
上記した台紙１は、セパレータ２の切り込み２ｂを切り離すと共に、折り辺２ａを境に立面部２ｃを上面側に折って、両セパレータ２が台紙１の表面から略直角に立ち上がるように構成する。また、立ち上げた両セパレータ２は、切り離した部位の先端部同士を付き合わせて平面視略Ｓ形に付き合わせ、台紙１の上面を図５，図６にて示すように、長靴の外形に似た載置範囲３ａと３ｂとに分割する。
【００１０】
上記したように組み立てた台紙１は、両セパレータ２により分割した一方の載置範囲３ａに長靴ｂの片方を載置すると共に、他方の載置範囲３ｂに長靴ｂを載置する。この状態において両長靴ｂは略Ｓ形に付き合う両セパレータ２により仕切られた状態となる。
上記した如く一対の長靴ｂを載置した台紙１は、その状態のまま図７にて示す如く断面略Ｕ形に二つ折りしたフィルム５の内部に収納する。フィルム５は、ポリプロピレンフィルムやポリエチレンフィルム等の熱収縮性の合成樹脂フィルムからなり、加熱することにより綺麗に収縮する。また、フィルムは透明若しくは半透明のものを使用し、外部から包装した長靴ｂや台紙の表面に印刷した絵柄や商品名や注意事項等の文字等が鮮明に見えるように構成してある。
【００１１】
上記したように断面略Ｕ形となるように二つ折りしたフィルム５の内部に長靴ｂを載置した台紙１を装入し、該台紙１の周りを被包した状態にて、その周囲３辺を平面視略コ形に形成した電熱線装置ｃにより加熱切断する（図７）。電熱線装置ｃは熱線６ａを平面視略コ形に屈曲した状態で保持する熱線枠６と、フィルム５の下にあって上記した熱線６ａが嵌合する平面視略略コ形の溝７ａを形成したガイド溝枠７とから構成してある（図７）。
【００１２】
上記した電熱線装置ｃを使用して台紙１上に載置した長靴ｂをフィルム５にて被覆する際には、上記した如く断面略Ｕ形となるように二つ折りしたフィルム５の内部に前記した如く長靴ｂを載置した台紙１を挿入する。この作業はフィルム５の間に挿入した台紙１及び長靴ｂを電熱線装置ｃのガイド枠７の真上に載置した状態にて行う。
このように台紙１をセットしたならば、熱線枠６を上方から降下させる。これにより、台紙１を包むフィルム５の周囲３辺、即ち台紙１と長靴ｂを挿入した部位の周囲３辺をガイド溝枠７の溝７ａ内に押し込み、同溝７ａ内に嵌合した熱線６ａの熱によりフィルム５を溶融させ、そのまま台紙１及び長靴ｂを包むフィルム５の周囲３辺（解放部のある）を切断すると共に、重なり合う上下のフィルム５を溶着する。これにより、フィルム５の解放部にあたる３方が熱溶着され、台紙１と長靴ｂとが、閉塞する袋状となったフィルム袋５ａにより包まれる（図７）。
【００１３】
上記した如く台紙１と長靴ｂとを内包したフィルム袋５ａを加熱室ｄの中を通過させ、フィルム袋５ａに熱風を吹き付けて加熱すると、フィルム５は程よく収縮して台紙１及び両セパレータ２により仕切られる１足の長靴に密着し、皺のない状態にて綺麗に被包することができる（図１）。
上記した如く、台紙１を載置した位置のフィルム５の３方には解放部が形成される。この解放部は熱線６ａにより熱溶着することにより閉塞され、これと同時に圧着して余分な部分が裁断される。
これにより、加熱後には外形が台紙１と略同じ大きさの包装Ａが出来上がる（図１，図８）。また、包装に使用するフィルムは片方の開口部を塞いで袋状にしたものを使用しても、若しくはチューブ状に形成したフィルムを用いてもよい。
【００１４】
上記した包装Ａは、台紙１の上に定置したセパレータ２や立面部２ｃがフィルム５が圧着することにより加わる荷重を受け止めるため、包装Ａの潰れや長靴ｂが過剰に変形することを防止できる。また、フィルムの収縮力により包装した長靴ｂがあまり変形しないように、フィルム５は収縮した際に適度な張力を維持するものを選定するべきである。使用するフィルムとしては、ポリプロピレン，ポリエステル等の熱収縮性合成樹脂が適している。
また、上記したフィルム５を構成するフィルムには予め小さな孔を適宜な間隔をおいて穿設することにより、上記した如くフィルム５が収縮する際にフィルム５内の空気が上記した孔から外部に抜け出るようにするとフィルムの収縮を円滑に行うことができる（図７）。
【００１５】
次に、図１１にて示した台紙１０の構成を説明する。
この台紙１０は、段ボールやボール紙等にて一枚状に裁断した台紙１０の上に略Ｓ形に屈曲せしめた帯状のセパレータ２０を定置して成る。
このように台紙１０の上面にセパレータ２０を定置すると、台紙１０の上面に長靴ｂの載置範囲３ａと３ｂとが形成される。この載置範囲３ａ，３ｂには、各々長靴を載置し、前記した包装Ａと同様に二つ折りしたフィルム５内に挿入し、前記した電熱線装置ｃにより解放される周囲３辺を略コ形に切断すると同時に同３辺部の縁部を熱溶着することにより、台紙１０及び長靴ｂを袋フィルム５ａに内包する。
【００１６】
そして、上記した如く台紙１０と長靴ｂとを収納した袋フィルム５ａを加熱して収縮せしめる。これにより、上記した包装Ａと同様な包装が出来上がる（図示せず）。
上記した台紙１０はセパレータ２０を単独に形成したものであるから、収納物に応じて屈曲の形や紙の厚さを任意に変更できる利点がある。また、複数枚のセパレータを組み合わせて使用しても良く、セパレータの使用形態にバリエーションをもたせることができる。さらに、上記したセパレータ２０の下辺部位に止着片２ａを形成することにより、セパレータ２０の装着状態を安定させることもできる。
また、止着片２ａを台紙１０に対して接着糊や両面テープを利用して接着することにより、所定の位置に取付固定することができ、長靴ｂの保持力を向上することができる。さらに、上記したセパレータは差し込み片を台紙に設けた切り込み内に差し込むことにより同台紙の所定の位置に取付固定してもよい。
【００１７】
次に図９にて示す台紙１１について説明する。この台紙１１は、前記した台紙１と同様に形成してあり、段ボール等から成る台紙１１に切り込み２ｂを設け、所定幅のセパレータ２１を形成する。セパレータ２１の一端には立面部２ｃを折り曲げて略垂直に立ち上げ、上記セパレータ２１の基端を折り曲げ自在に支持してある。
上記セパレータ２１は立面部２ｃとの境界に形成したミシン目やプレス等により形成した折り曲げ部２ｄを設けてある。また、両セパレータ２１の中間部には同様な折り曲げ部２ｅを設け、同セパレータ２１を基端部と中間部とから屈曲可能に構成してある。
【００１８】
上記した如く構成した台紙１１を使用する際には、両セパレータ２１を基端の折り曲げ部２ｄから内側に折り曲げると共に、中間部の折り曲げ部２ｅを外側へ向けて平面視略く形に折り曲げる。
また、上記した両セパレータ２１は、中間の折り曲げ部２ｅから先端側の部位を互いに重ね合わせることで、図１０にて示すように台紙１１の上面を二つに仕切り、載置範囲３ａと３ｂを構成する。
この載置範囲３ａ，３ｂは、図１０にて示すように長靴ｂが片方ずつ載置できる平面形状となる。そして、これらの載置範囲に長靴ｂを載置した際に両長靴ｂ同士が接触することを防止し得る。以下、台紙１１に長靴ｂを載せた後にフィルム５によって被包する工程は前記した包装Ａと同様に行うのでその説明は省略する。
【００１９】
本発明で用いる台紙は上記した実施例のように四角形に限定するものではなく、矩形の各角部を円弧状にカットしたものや、多角形，円形，楕円形等、包装する靴の形態にあわせて変更してもよい。
【００２０】
上記した実施例は、共に長靴ｂを包装する場合を述べたが、本発明の包装物は靴であれば、どのようなものであってもよく、例えばスニーカーやジョギングシューズ，ガ−デニングシューズであってもよい。また、セパレータを具備するものは、同セパレータの形状や定置位置等を靴に合わせて設定することにより多種類の靴を綺麗に包装することができる。
【００２１】
ちなみに、本発明の靴の包装形態は、従来の箱に入れる包装と比較して、材料のコストを約２５％削減することができた。また、包装作業の能率がよいので１足あたりの包装に必要な時間を短縮でき、結果として製造コストを低減することができる。本願の包装形態で可能となるコストダウンは、従来の箱に収納するタイプと比較して２５％〜３０％程度である。
【００２２】
【発明の効果】
本発明は以上説明したように、段ボール等から構成した平板状の台紙の上に略帯状のセパレータを定置し、同台紙の上面を２分割する。そして、２分割した台紙上面の一方の範囲に靴の片方を載置すると共に、他方の範囲に靴のもう片方のを載置する。そして、この状態の台紙を熱収縮製のフィルムにて被覆し、該フィルムの周囲を熱線体にて加熱切断して台紙と靴とを袋状のフィルム内に収納する。その後上記フィルム袋に熱を加えてフィルムを収縮せしめる。
即ち、本発明の靴の包装形態は、段ボール等から成る一枚の台紙とセパレータと熱収縮性の合成樹脂フィルムのみで構成し得るので、従来のように箱と薄紙を使用した包装形態と比較して使用する材料のコストを低減することができる。
また、一対の靴を台紙の上に載置した上でフィルムにて包装し、同フィルム袋を熱切断した後に加熱してフィルムを収縮させるだけの作業で靴の収納を済ませることができるため、作業性の向上と作業時間の短縮によるコストの削減にも寄与する。
上記したセパレータ及び立面部は支柱として機能し、且つ立面部と靴底が一体となって壁面の作用をし包装全体が箱の如き強度を発揮する。これにより、包装を多段状に積み重ねることもでき、運送コストの面でも有利である。
一方、包装する靴に対応してセパレータの形態や枚数を設定することにより、色々な種類の靴を綺麗に包装することができると共に、セパレータが熱収縮フィルムの収縮による圧縮力をセパレータにより受けることにより、包装する靴の変形を防止することができるので、多種類の靴にも容易に対応することができる。
【００２３】
請求項２記載の靴の包装形態は、台紙の一側辺と他側辺とに切り込みを入れて所定幅のセパレータを形成し、このセパレータを台紙の上面側に立ち上げて同台紙の上面を２分割するセパレータを構成したものであるから、台紙を打ち抜く作業と同時にセパレータを形成し、包装作業の際にこれを折って台紙上にて立ち上げることによりセパレータを形成することができる。よって、略帯状のセパレータを単体として裁断し、台紙上に定置するものと比較すると、セパレータを裁断する手間を省くことができ、必要部品と製造工程の削減を実現できる。
【００２４】
請求項３記載の包装形態は、上記フィルムを透明若しくは半透明の合成樹脂を用いて構成したものであるから、靴の外観や色彩などを包装を解くことなく確認することとができ、陳列した商品が引き立って商品の陳列効果を高めることができる。
【図面の簡単な説明】
【図１】本発明を実施した靴（長靴）の包装形態を示す斜視図。
【図２】本発明を実施した台紙の上に長靴を載置した状態を示す斜視図。
【図３】同台紙の展開図。
【図４】同台紙のセパレータを起立した状態を示す斜視図。
【図５】台紙の上に長靴を載置した状態を示す平面図。
【図６】組み立てた台紙と、その上に載置する長靴を示す斜視図。
【図７】電熱線装置によりフィルムの３辺を切断する状態を示す斜視図。
【図８】フィルムに被包した状態の台紙と長靴を加熱室内２入れてフィルムを収縮させるラインを示す側面図。
【図９】セパレータの２箇所に折り曲げ部を設けた台紙を示す斜視図。
【図１０】同セパレータの平面図。
【図１１】単独に形成したセパレータを台紙の上に定置して使用する台紙を示す斜視図。
【図１２】箱の中に長靴を収納する従来の包装形態を示す斜視図。
【符号の説明】
Ａ，Ａ２・・・包装
５・・・フィルム
ｂ・・・長靴
１，１０，１１・・・台紙
２，２０，２１・・・セパレータ
２ａ・・・折り辺
２ｂ・・・切り込み
２ｃ・・・立面部
【図１】
2004001842.tif 000003
【図２】
2004001842.tif 000004
【図３】
2004001842.tif 000005
【図４】
2004001842.tif 000006
【図５】
2004001842.tif 000007
【図６】
2004001842.tif 000008
【図７】
2004001842.tif 000009
【図８】
2004001842.tif 000010
【図９】
2004001842.tif 000011
【図１０】
2004001842.tif 000012
【図１１】
2004001842.tif 000013
【図１２】
2004001842.tif 000014